(57)【要約】【課題】本発明は、使用者の用途に応じて端末器同士で通話が可能な監視システムを提供する。【解決手段】端末器２が非定常状態に関するデータを送信した場合や、使用者が端末器２の操作入力手段１３を操作することにより、データ通信手段１１は通話呼び出し信号を送信する。端末器３が端末器２からの通話呼び出し信号をデータ通信手段１１で受信した場合は、端末制御部１０により、報知手段１７を制御し視覚的あるいは聴覚的に外部に報知する。端末器３の周辺にいる人が端末器３の操作入力手段１３を操作することにより、端末器２の通話呼び出し信号を端末器３が受け付けたことになり、端末器２と端末器３で通話することが可能となる。【選択図】  図３
2004152232.tif 000002
【特許請求の範囲】
【請求項１】
定常または非定常の状態を監視する複数の端末器と１台の中央処理装置とを有し、前記端末器と前記中央処理装置にはそれぞれ前記定常状態または前記非定常状態に関するデータの送信または受信を行うデータ通信手段と、音声信号の送信または受信を行う音声通信手段と、音声を入力する音声入力手段と、音声を出力する音声出力手段とを有し、前記端末器同士で通話が可能なことを特徴とする監視システム。
【請求項２】
端末器は、使用者の操作によって、前記端末器以外の端末器に通話呼び出し信号の発信および、前記通話呼び出し信号の受信を受け付け、通話状態を確立させる操作入力手段と、前記通話呼び出し信号を受信した場合に、外部に受信したことを報知する報知手段とを有する請求項１記載の監視システム。
【請求項３】
端末器は、通話呼び出し信号を受信しても、外部に受信したことを放置しないように設定が可能な設定手段を有する請求項１または２記載の監視システム。
【請求項４】
端末器は、監視区域への侵入者を検知する侵入検知手段を有し、非定常状態に関するデータを中央処理装置に送信した場合に、前記端末器は、前記端末器以外の端末器に通話呼び出し信号を送信する請求項１から３のいずれか１項記載の監視システム。
【請求項５】
端末器は、商用電源あるいは、充電可能な電源のどちらか１つを有する請求項１から４のいずれか１項記載の監視システム。
【請求項６】
請求項１〜５のいずれか記載の監視システムにて少なくとも一つの手段をコンピュータに実行させるためのプログラム。
【発明の詳細な説明】
【０００１】
【発明の属する技術分野】
本発明は、複数設置された端末器において、端末器同士で通話が可能な監視システムに関するものである。
【０００２】
【従来の技術】
従来の監視システムは、中央処理装置とドアホン端末器との間で通話が可能であり、侵入者やガス漏れをセキュリティ端末器で検知した場合に、中央処理装置から警報音を発生させる（例えば、特許文献１参照）。
【０００３】
【特許文献１】
特開平０８−７０３６１号公報
【０００４】
【発明が解決しようとする課題】
しかしながら前記従来の構成では、端末器は、セキュリティ用と、通話用と個々の機能しか有しておらず、使用者の部屋に通話用とセキュリティ用の端末器が必要な場合には、２台の端末器が必要であったり、通話用の端末器は、中央処理装置との間でのみ通話が可能であったりしているため、使用者が中央処理装置から離れた部屋にいる場合は、通話ができないといった課題があった。
【０００５】
本発明では、上記従来の課題を解決するためのもので、定常または非定常状態を監視する複数の端末器に、通話機能を備えることにより、端末器同士で通話が可能な監視システムを提供することを目的としている。
【０００６】
【課題を解決するための手段】
上記従来の課題を解決するために、本発明の監視システムは、複数の端末器が、それぞれ定常状態または非定常状態に関するデータの送信または受信を行うデータ通信手段と、音声信号の送信または受信を行う音声通信手段と、音声を入力する音声入力手段と、音声を出力する音声出力手段とを有し、端末器同士で通話が可能なものである。
【０００７】
【発明の実施の形態】
請求項１に記載した発明は、複数の端末器が、それぞれ定常状態または非定常状態に関するデータの送信または受信を行うデータ通信手段と、音声信号の送信または受信を行う音声通信手段と、音声を入力する音声入力手段と、音声を出力する音声出力手段と設けたことにより、前記端末器同士で通話が可能となる。
【０００８】
請求項２に記載した発明は、使用者の操作によって、使用者が操作する端末器以外の端末器に通話呼び出し信号の発信を行う操作入力手段と、他の端末器が通話呼び出し信号を受信した場合に、外部に報知する報知手段とを設けたことにより、使用者が通話を行いたい時に、使用者が操作入力手段を操作することで、他の部屋などに設置されてある端末器の報知手段により、視覚的あるいは聴覚的に通話呼び出し信号を受信していることが認識でき、操作入力手段により通話状態を確立させることが可能となる。
【０００９】
請求項３に記載した発明は、通話呼び出し信号を受信しないように設定が可能な設定手段を設けたことにより、通話呼び出し信号を受信した場合でも、呼び出し音などを発生させたくない場所では、通話呼び出し信号を受信しないように設定することが可能となる。
【００１０】
請求項４に記載した発明は、端末器が非定常状態に関するデータを中央処理装置に送信した場合に、非定常状態に関するデータを送信した端末器は、他に設置されている端末器に通話呼び出し信号を送信する機能を備えることにより、侵入者などが発生した場合に、使用者がいる部屋に設置された端末器で、侵入が発生した端末器付近の音声を聞くことが可能となる。
【００１１】
請求項５に記載した発明は、端末器が、商用電源あるいは、充電可能な電源のどちらか１つを備えることにより、通話機能を多く使用する場合についても消費電力について気にする必要がなくなる。
【００１２】
請求項６に記載した発明は、請求項１から５のいずれかに記載の監視システムの少なくとも一つの手段をコンピュータに実行させるためのプログラムである。プログラムであるのでマイコンなどを用いて本発明の監視システムの一部あるいは全てを容易に実現することができる。また記録媒体に記録したり通信回線を用いてプログラムを配信したりすることでプログラムの配布が簡単にできる。
【００１３】
【実施例】
（実施例１）
以下、本発明の構成と動作について、図１〜３を参照しながら説明する。
【００１４】
図１に本実施例１の監視システムのシステムブロック図を示す。１は中央処理装置、２〜３は端末器である。中央処理装置１と端末器２〜３および端末器２と端末器３は無線による通信手段によって通信が行われる。
【００１５】
図２は中央処理装置１の内部ブロック図である。４は中央処理装置１の制御部である。５はデータ通信手段であり、定常または非定常状態に関するデータおよび通話呼び出し信号の送受信を行う。６は音声通信手段であり、音声を変復調して通信を行う。７は音声入力手段であり、中央処理装置１から端末器２〜３に対して音声を送信する。８は音声出力手段であり音声通信手段６から出力される音声を拡声する。
【００１６】
図３は端末器２または３の内部ブロック図である。９は侵入検知手段で、本実施例ではリードスイッチを設けている。この端末器を窓やドアの枠に取り付け、可動部である窓ガラスやドア開閉部にこのリードスイッチと対応して開閉させるための磁石を取り付けることにより、窓やドアの開閉を検知することができる。１０は端末制御部で、侵入検知手段９からの非定常信号、すなわち侵入が発生したという情報を、中央処理装置１に対して自らの端末器コードと共に、データ通信手段１１を用いて無線によって送信するものである。
【００１７】
データ通信手段１１は、中央処理装置１に定常または非定常状態に関するデータを送信する。また、データ通信手段１１は、通話呼び出し信号の送受信を行う。１２は音声通信手段であり、音声を変復調して中央処理装置１および端末器との間で音声信号の通信を行う。１３は操作入力手段であり、通話呼び出し信号を使用者の操作によって送受信するものである。１４は設定手段であり、使用者の操作により、通話呼び出し信号を送受信しないように設定可能である。１５は音声出力手段であり、音声通信手段６から出力される音声を拡声する。１６は音声入力手段であり、端末器周辺の音声は音声入力手段１６で集音され、音声通信手段１２で変調されて中央処理装置１及び別の端末器に送信される。１７は報知手段であり、通話呼び出し信号を受信した場合に外部に報知することができる。
【００１８】
尚、報知手段にはＬＥＤを設置して、通話呼び出し信号が受信された場合に、端末制御部１０により報知手段であるＬＥＤを所定時間点灯させたり、所定時間点滅させることによって使用者に通話呼び出し信号が受信されていることを知らせたり、通話呼び出し信号が受信されていることを知らせる旨の文字コードを表示させてもよい。また、通話呼び出し信号がデータ通信手段で受信された場合に、呼び出し音を発生させてもよい。１８は電源部であり、１０〜１７の各ブロックに電力を供給する。
【００１９】
次に本実施例の動作を説明する。
【００２０】
まず、使用者のいる位置に端末器２が設置されている場合、使用者が端末器２の操作入力手段１３を操作することにより、データ通信手段１１は通話呼び出し信号を送信する。端末器３が端末器２からの通話呼び出し信号をデータ通信手段１１で受信した場合は、端末制御部１０により、報知手段１７を制御し視覚的あるいは聴覚的に外部に報知する。端末器３の周辺にいる人が報知手段１７からの報知内容を知覚し、端末器３の操作入力手段１３を操作すると、端末器２の通話呼び出し信号を端末器３が受け付けたことになり、端末器２と端末器３で通話することが可能となる。
【００２１】
また、設定手段１４で予め端末器３の設定を行うことにより、端末器２から送信される通話呼び出し信号をデータ通信手段１１で受信しても、外部に報知を行わないようにすることが可能である。
【００２２】
次に、端末器２が監視動作を開始している場合に、侵入者が発生し、端末器２の侵入検知手段９で侵入者を検知した場合、端末器２は非定常状態に関するデータを中央処理装置１に送信するが、通話呼び出し信号も端末器３に送信する。端末器３で通話呼び出し信号を受信した場合は、外部報知手段１７により視覚的あるいは聴覚的に外部に報知する。端末器３周辺にいる人は、報知手段１７からの報知内容を知覚し、操作入力手段１３を操作することにより、端末器２と端末器３の通話が成立し、侵入者を検知した端末器２周辺の音を聞くことが可能となる。また、音声入力手段１６により、使用者が直接、侵入者に対して威嚇することも可能となる。
【００２３】
上記実施例１の構成、動作によると、本発明の監視システムでは、端末器同士で通話が可能なので、わざわざ中央処理装置のところまで行かなくても、使用者の近くにある端末器で他の端末器との通話が可能なので、使い勝手が向上する。
【００２４】
また、端末器の操作入力手段を操作するだけで他の端末器とハンズフリーで通話が確立されるため便利である。
【００２５】
また、端末器は、通話呼び出し信号を受信しないように設定が可能な設定手段を有するので、呼び出し音を鳴らしたくない場所では、呼び出し音が鳴らないように設定できるため便利である。
【００２６】
また、端末器に設けた侵入検知手段により侵入者を検知すると、他の端末器に通話呼び出し信号を送信し、非定常事態が発生したことを検出した端末器と他の端末器とで音声通話を行うことが可能なので、例えば、他の部屋に居ながら、侵入者を検知した端末器付近の音を聞くことができ、非定常事態発生時の安心感が向上する。また、使用者の声により直接威嚇をしたりすることができ、侵入者の撃退に効果がある。
【００２７】
また電源を商用電源あるいは、充電可能な電源を使用しているため、通話による電力消費を気にせずに通話を行うことが可能である。
【００２８】
尚、実施例１では、端末器２または３の侵入検知手段９にリードスイッチを設けているため、窓やドアが開閉された時に侵入者が発生したという非定常信号を送信しているが、侵入検知手段９が緊急用のボタンでボタンを押した場合に非定常信号、すなわち緊急の状態であるという情報を送信しても同様の効果を有するものである。また侵入検知手段９が焦電センサで人体を検知した場合に非定常信号すなわち侵入者が発生したという非定常信号を送信しても同様の効果を有するものである。
【００２９】
また、実施例１では通信媒体として無線を用いているが、専用線による有線通信、電灯線搬送通信、赤外線通信、光ファイバ通信など、いずれも通信媒体を用いても同様の効果を有するものである。
【００３０】
また、本発明は、実施例１の監視システムの少なくとも一つの手段をコンピュータに実行させるためのプログラムを提供するものであり、プログラムであるのでマイコンなどを用いて本発明の監視システムの一部あるいは全てを容易に実現することができる。また記録媒体に記録したり通信回線を用いてプログラムを配信したりすることでプログラムの配布が簡単にできる。
【００３１】
【発明の効果】
以上のように、本発明の監視システムでは、端末器同士で通話が可能なため、わざわざ中央処理装置のところまで行かなくても、使用者の近くにある端末器で他の端末器との通話が可能なので、使い勝手が向上する。
【図面の簡単な説明】
【図１】本発明の実施例１のシステムブロック図
【図２】本発明の実施例１の中央処理装置の内部ブロック図
【図３】本発明の実施例１の端末器２の内部ブロック図
【符号の説明】
１  中央処理装置
２、３  端末器
４  制御部
５、１１  データ通信手段表示手段
６、１２  音声通信手段
７、１６  音声入力手段
８、１５  音声出力手段
９  侵入検知手段
１０  端末制御部
１３  操作入力手段
１４  設定手段
１７  報知手段
１８  電源部
【図１】
2004152232.tif 000003
【図２】
2004152232.tif 000004
【図３】
2004152232.tif 000005